(57)【要約】【課題】本発明の課題は、原稿になされた各補足部分を示す部分画像を管理することを目的とする。【解決手段】上記課題は、画像を管理する画像管理方法であって、読取部が補足された原稿を読み取って補足後原稿画像を生成し、部分画像管理部が前記補足後原稿画像を用いて抽出した複数の補足部分夫々に対応する複数の部分画像を前記原稿に関連付けて管理する画像管理方法によって達成される。【選択図】図６
2008104161.tif 000002
【特許請求の範囲】
【請求項１】
画像を管理する画像管理方法であって、
読取部が補足された原稿を読み取って補足後原稿画像を生成し、
部分画像管理部が前記補足後原稿画像を用いて抽出した複数の補足部分夫々に対応する複数の部分画像を前記原稿に関連付けて管理することを特徴とする画像管理方法。
【請求項２】
前記部分画像管理部は前記部分画像が関連する対象を示す対象項目を該部分画像に対応させて管理し、
画像合成部が前記対象項目に応じて選択的に前記複数の部分画像を前記原稿の原稿画像と合成することを特徴とする請求項１記載の画像管理方法。
【請求項３】
部分画像抽出部が前記補足後原稿画像と前記原稿画像との差分に基づいて前記複数の部分画像を抽出し、
前記部分画像管理部は前記部分画像抽出部が抽出した前記複数の部分画像を管理することを特徴とする請求項２記載の画像管理方法。
【請求項４】
前記部分画像管理部はユーザーが指定した前記対象項目の値を前記抽出した複数の部分画像に対応させて管理することを特徴とする請求項３記載の画像管理方法。
【請求項５】
前記部分画像管理部は前記原稿の一のページに１以上の部分画像を対応付けして管理し、
前記画像合成部が、前記複数の部分画像を各部分画像が合成されるページ毎に該ページの原稿画像と合成することを特徴とする請求項２乃至４のいずれか一項記載の画像管理方法。
【請求項６】
前記画像合成部が、前記複数の部分画像を各部分画像が合成されるページの原稿画像の該部分画像の領域を含む部分画像と合成して部分合成画像を生成することを特徴とする請求項２乃至５のいずれか一項記載の画像管理方法。
【請求項７】
画像レイアウト部が前記画像合成部によって生成された前記部分合成画像を所定用紙サイズに合わせてレイアウトすることを特徴とする請求項６記載の画像管理方法。
【請求項８】
前記レイアウトされた部分合成画像は表示部に表示され、ユーザーの操作によって画像サイズを変更可能であることを特徴とする請求項７記載の画像管理方法。
【請求項９】
前記表示部が前記画像合成部によって合成された合成画像又は前記画像レイアウト部によってレイアウトされた前記部分合成画像をプレビュー表示し、
印刷部が前記画像合成部によって合成された合成画像又は前記画像レイアウト部によってレイアウトされた前記部分合成画像を所定用紙に印刷することを特徴とする請求項８記載の画像管理方法。
【請求項１０】
前記部分画像管理部は、前記補足部分に関連するユーザーのユーザーＩＤ、前記部分画像の作成日時、該部分画像が関連する業務の業務ＩＤ、及び該部分画像が保管されている保管フォルダを指定する情報の１つ以上を前記対象項目として前記部分画像に対応させて管理することを特徴とする請求項１乃至９のいずれか一項記載の画像管理方法。
【請求項１１】
画像を合成する画像処理装置であって、
補足された原稿を読み取って補足後原稿画像を生成する補足後原稿読取手段と、
前記補足後原稿画像を用いて抽出した複数の補足部分夫々に対応する複数の部分画像を前記原稿に関連付けて管理する部分画像管理手段とを有することを特徴とする画像処理装置。
【請求項１２】
前記補足後原稿読取手段は前記部分画像が関連する対象を示す対象項目を該部分画像に対応させて管理し、
前記対象項目に応じて選択的に前記複数の部分画像を前記原稿の原稿画像と合成する画像合成手段を更に有することを特徴とする請求項１１記載の画像管理装置。
【請求項１３】
前記原稿画像又は前記部分画像の少なくとも一方は外部サーバーに保管されていることを特徴とする請求項１１又は１２記載の画像処理装置。
【発明の詳細な説明】
【技術分野】
【０００１】
本発明は、原稿になされた各補足部分を示す部分画像を管理する画像管理方法及び画像処理装置を提供するものである。
【背景技術】
【０００２】
手書きされた帳票から情報を取得し、処理を行う手書き帳票システムが提案されている。このような手書き帳票システムでは、紙の帳票上の手書きを認識して、帳票から選択された情報、書き込まれた情報などを取得することが可能となった。
【特許文献１】特開２００５−２３４７９０号公報
【発明の開示】
【発明が解決しようとする課題】
【０００３】
しかしながら、従来の手書き帳票システムでは、手書きされる領域は予め決められている帳票を前提としているため、自由に書き込まれた手書きメモなどを管理するものではなかった。
【０００４】
帳票などの所定の記入領域が定められていない紙文書になされた手書きメモを管理する手段がないため、即時に手書きメモ及びその手書きメモの場所を抽出したりすることができなかった。
【０００５】
また、複数の人に紙文書を配布し各人から文書に対する意見などを集める際には、各人から別途意見などが書かれた文書を提出してもらうか、手書きメモが書き込まれた配布した紙文書を返却してもらい、配布元で各人の手書きメモから全体的な意見を読み取るしかなかった。
【０００６】
そこで、本発明の課題は、原稿になされた各補足部分を示す部分画像を管理する画像管理方法及び画像処理装置を提供することである。
【課題を解決するための手段】
【０００７】
上記課題を解決するため、本発明は、画像を管理する画像管理方法であって、読取部が補足された原稿を読み取って補足後原稿画像を生成し、部分画像管理部が前記補足後原稿画像を用いて抽出した複数の補足部分夫々に対応する複数の部分画像を前記原稿に関連付けて管理するように構成される。
【０００８】
また、このような画像管理方法では、前記部分画像管理部は前記部分画像が関連する対象を示す対象項目を該部分画像に対応させて管理し、画像合成部が前記対象項目に応じて選択的に前記複数の部分画像を前記原稿の原稿画像と合成するように構成してもよい。
【０００９】
また、上記課題を解決するため、上記画像管理方法を行う画像処理装置としてもよい。
【発明の効果】
【００１０】
本願発明では、原稿になされた各補足部分を示す部分画像をその原稿に関連付けて管理することができる。また、原稿になされた補足部分を示す部分画像を対象項目に対応させて管理し、対象項目別に対応する部分画像を原稿画像と合成して表示及び印刷することができる。
【発明を実施するための最良の形態】
【００１１】
以下、本発明の実施の形態を図面に基づいて説明する。本発明の一実施例において、補足部分とは、原稿上に、ユーザーが手書きした部分、ユーザーがスタンプ印字、ステッカー貼付、バーコード付加等を施した本来原稿には印字されていなかった部分を言い、差異画像とは、その補足部分を示す画像である。
【００１２】
図１は、本発明の一実施例に係る第一のシステム構成を示す図である。図１に示すシステム１００１において、画像処理装置１００は、プリンタ、コピー、ファクシミリ、スキャナなどの複数の画像形成を行う機能を備え、制御部１０１と、文書読取部１０２と、差異画像抽出部１０３と、画像レイアウト部１０４と、原稿管理部１０５と、差異画像管理部１０６と、ＵＩ（User Interface）１０７と、文書印刷部１０８と、画像合成部１０９と、ユーザー情報管理部１１０と、一時記憶領域１１１と、ＨＤＤ（Hard Disk Device）１１２と、ネットワークＩ／Ｆ（InterFace）１１９とを有する。
【００１３】
制御部１０１は、ＣＰＵ（Central Processing Unit）とメモリとを備え、画像処理装置１００全体を制御する。文書読取部１０２は、スキャナを備え、スキャナを制御することによって紙の原稿を読み取って電子画像（以下、単に画像という）を作成する処理部である。差異画像抽出部１０３は、補足されていない原稿の原稿画像と補足部分のある補足後原稿画像との差異を差異画像として抽出する処理部である。
【００１４】
画像レイアウト部１０４は、複数の画像を１ページの画像に自動でレイアウトする処理部である。原稿管理部１０５は、ＨＤＤ１１２に保管されている配布資料などの補足部分のない原稿を読み取った原稿画像を管理する処理部である。差異画像管理部１０６は、ＨＤＤ１１２等に保管されている差異画像を管理する処理部である。
【００１５】
ＵＩ部１０７は、ユーザーと画像処理装置１００とのユーザーインターフェースを行い、操作部１０４ａと表示部１０４ｂとを備える。操作部１０４ａは、ユーザーによる画像処理装置１００への操作を可能とし、表示部１０４ｂは、ユーザーへの複数の画像処理に係る情報を表示する。
【００１６】
文書印刷部１０８は、紙に画像を印刷する処理部である。画像合成部１０９は、差異画像と原稿画像とを合成する処理部である。ユーザー情報管理部１１０は、画像処理装置１００を利用するユーザーの情報の管理と、ユーザー認証を行う処理部である。一時記憶領域１１１は、画像合成のための一時的な記憶領域である。
【００１７】
ＨＤＤ１１２は、原稿画像、補足部分を示す差異画像などの他、管理用の種々のデータ等を格納する。ネットワークＩ／Ｆ１１９は、ＬＡＮ（Local Area Network）、インターネットなどのネットワークを介して他機器との通信を行うためのインターフェースである。
【００１８】
差異画像抽出部１０３と、画像レイアウト部１０４と、原稿管理部１０５と、差異画像管理部１０６と、画像合成部１０９と、ユーザー情報管理部１１０と、一時記憶領域１１１とを必要に応じてサーバーに備えたネットワーク構成とすることもできる。
【００１９】
図２は、本発明の一実施例に係る第二のシステム構成を示す図である。図２に示すシステム１００２では、ネットワーク２を介して、画像処理装置１００ａと、ＰＣ１０と、サーバー２００とが接続されている。図２中、図１と同一処理部には同一符号を付し、その説明を省略する。
【００２０】
画像処理装置１００ａは、画像処理装置１００ａ全体を制御する制御部１０１と、文書読取部１０２と、ＵＩ１０７と、文書印刷部１０８と、一時記憶領域１１１と、ネットワーク２を介して通信するためのネットワークＩ／Ｆ１１９とを有する。
【００２１】
サーバー２００は、ＣＰＵ及びメモリを備えサーバー２００全体を制御する制御部２０１と、差異画像抽出部１０３と、画像レイアウト部１０４と、原稿管理部１０５と、差異画像管理部１０６と、画像合成部１０９と、ユーザー情報管理部１１０と、一時記憶領域２１１と、ＨＤＤ２１２と、ネットワーク２を介して通信するためのネットワークＩ／Ｆ２１９とを有する。ＨＤＤ２１２には、原稿画像、差異画像、ユーザー情報などが格納される。
【００２２】
ＰＣ１０は、ＣＰＵ及びメモリを備えＰＣ１０全体を制御する制御部１１と、ＰＣ１０での処理に必要なデータを記憶するための記憶装置１２と、データ入力を制御するための入力装置１３と、ユーザーインターフェースを制御するためのＵＩ１４と、ネットワーク２を介して通信するためのネットワークＩ／Ｆ１９とを有する。
【００２３】
このように、サーバー２００に差異画像抽出部１０３と、画像レイアウト部１０４と、原稿管理部１０５と、差異画像管理部１０６と、画像合成部１０９と、ユーザー情報管理部１１０とを備えることもできる。このような構成によって、複数の画像処理装置１００ａがネットワーク２に接続される場合、画像の抽出、合成、レイアウトを行う各処理、及び、情報を管理する処理を、サーバー２００で集中して行うことができ、種々のデータ及び処理を扱う上で信頼性を向上させることができる。
【００２４】
ＰＣ１０は、画像処理装置１００ａへ差異画像処理に関する要求を行い、画像処理装置１００ａからサーバー２００によるその処理の結果通知を受信してもよい。また、ＰＣ１０は、サーバー２００から直接原稿画像、差異画像などの閲覧を行うようにしてもよいし、画像処理装置１００ａを介してサーバー２００に保管されている原稿画像、差異画像などの閲覧を行うようにしてもよい。
【００２５】
図３は、本発明の一実施例に係る第三のシステム構成を示す図である。図３に示すシステム１００３では、ネットワーク２を介して、画像処理装置１００ａと、ＰＣ１０と、サーバー２００ａと、ユーザー情報管理サーバー３００とが接続されている。図３中、図１及び図２と同一処理部には同一符号を付し、その説明を省略する。画像処理装置１００ａ及びＰＣ１０の構成は図２に示す構成と同様であるので省略する。
【００２６】
サーバー２００ａは、図２に示すサーバー２００の構成においてユーザー情報管理部１１０を除いた構成となる。従って、ＨＤＤ２１２には、原稿画像、差異画像などが格納される。
【００２７】
ユーザー情報管理サーバー３００は、ＣＰＵ及びメモリを備えサーバー３００全体を制御する制御部３０１と、ユーザー情報管理部１１０と、ＨＤＤ３１２と、ネットワーク２を介して通信するためのネットワークＩ／Ｆ３１９とを有する。ＨＤＤ３１２には、ユーザー情報などが格納される。
【００２８】
ＰＣ１０が画像処理装置１００ａにアクセスすると、画像処理装置１００ａはユーザー情報管理サーバー３００へユーザー認証を要求しその認証結果に基づいてアクセスを制御する。また、ＰＣ１０がサーバー２００ａにアクセスすると、サーバー２００ａはユーザー情報管理サーバー３００へユーザー認証を要求しその認証結果に基づいてアクセスを制御する。
【００２９】
このようなシステム１００３では、画像処理に係るアクセス以外でユーザー認証を行う場合に機能的な構成とすることができる。
【００３０】
図２に示すシステム１００１と同様に、ＰＣ１０は、画像処理装置１００ａへ差異画像処理に関する要求を行い、画像処理装置１００ａからサーバー２００によるその処理の結果通知を受信してもよい。また、ＰＣ１０は、サーバー２００から直接原稿画像、差異画像などの閲覧を行うようにしてもよいし、画像処理装置１００ａを介してサーバー２００に保管されている原稿画像、差異画像などの閲覧を行うようにしてもよい。
【００３１】
図４は、本発明の一実施例に係る第四のシステム構成を示す図である。図４に示すシステム１００４では、ネットワーク２を介して、画像処理装置１００ａと、ＰＣ１０と、ユーザー情報管理サーバー３００と、画像管理サーバー４００と、画像処理サーバー５００とが接続されている。図４中、図１から図３と同一処理部には同一符号を付し、その説明を省略する。画像処理装置１００ａ、ＰＣ１０、及びユーザー情報管理サーバー３００の構成は図３に示す構成と同様であるので省略する。
【００３２】
このシステム１００４では、画像管理サーバー４００に図２に示すサーバー２００の原稿管理部１０５及び差異画像管理部１０６が備えられ、画像処理サーバー５００に図２に示すサーバー２００の差異画像抽出部１０３と、画像レイアウト部１０４と、画像合成部１０９とが備えられ、ユーザー情報管理部１１０がユーザー情報管理サーバー３００に備えられる構成となっている。
【００３３】
画像管理サーバー４００は、ＣＰＵ及びメモリを備え画像管理サーバー４００全体を制御する制御部４０１と、原稿管理部１０５と、差異画像管理部１０６と、ＨＤＤ４１２と、ネットワーク２を介して通信するためのネットワークＩ／Ｆ４１９とを有する。ＨＤＤ４１２には、原稿画像、差異画像などが格納される。
【００３４】
画像処理サーバー５００は、ＣＰＵ及びメモリを備え画像処理サーバー５００全体を制御する制御部５０１と、差異画像抽出部１０３と、画像レイアウト部１０４と、画像合成部１０９と、一時記憶領域５１１と、ＨＤＤ５１２と、ネットワーク２を介して通信するためのネットワークＩ／Ｆ５１９とを有する。画像処理サーバー５００は、図２に示すサーバー２００の構成から原稿管理部１０５と、差異画像管理部１０６と、ユーザー情報管理部１１０とを除いた構成と同様である。
【００３５】
このようなシステム１００４では、ユーザー情報管理サーバー３００及び画像管理サーバー４００はデータ消失可能性を低くすることを目的とし、画像処理サーバー５００は高い処理速度を実現することを目的とするように、各々の目的に応じた性能を持つ装置で構成することができる。
【００３６】
図５は、本発明の一実施例に係る第五のシステム構成を示す図である。図５に示すシステム１００５では、ネットワーク２を介して、画像処理装置１００ｂと、ＰＣ１０と、ユーザー情報管理サーバー３００と、画像処理サーバー５００とが接続されている。図５中、図４と同一処理部には同一符号を付し、その説明を省略する。ＰＣ１０、ユーザー情報管理サーバー３００、及び画像処理サーバー５００の構成は図３に示す構成と同様であるので省略する。
【００３７】
このシステム１００５では、画像処理装置１００ｂに図１に示す画像処理委装置１００の構成のうち制御部１０１と、文書読取部１０２と、原稿管理部１０５と、差異画像管理部１０６と、ＵＩ１０７と、文書印刷部１０８と、一時記憶領域１１１と、ＨＤＤ１１２と、ネットワークＩ／Ｆ１１９とを備える。従って、システム１００５では、図４に示すシステム１００４の画像管理サーバー４００を不要とすることができる。
【００３８】
次に、原稿画像及び補足部分を含む差異画像の保管方法について簡単に図６で説明する。図６は、差異画像処理における画像の保管方法を説明するための図である。図６において、原稿３０を読み取った原稿画像３１が先ず記憶領域２ｐに保管され、そして、原稿３０の複製が複数のユーザーｕ１、ｕ２及びｕ３へ配布される。原稿３０の複製は原稿３０と同一視し、以下、単に原稿３０と言う。
【００３９】
ここで、記憶領域２ｐは、原稿管理部１０５によって原稿画像３１を格納する、また、差異画像管理部１０６によって差異画像３２を格納するための記憶領域を総称して示しているにすぎず、記憶領域２ｐによって、原稿画像３１と差異画像３２とを同一のハードディスク内に格納すること、又は、物理的に別のハードディスクにそれぞれを格納することを規定するものではない。
【００４０】
配布された原稿３０に対してユーザーｕ１、ｕ２及びｕ３が個々に手書き又は所定処理によって補足した後、その補足された部分を含む補足後原稿３０ａを読み取った画像と、記憶領域２ｐに保管されている原稿画像３１との差分情報に基づいて、補足部分を含む差異画像３２を抽出して記憶領域２ｐに保管する。
【００４１】
記憶領域２ｐには、原稿画像３１と、抽出された差異画像３２とが保管される。各差異画像３２は、原稿画像３１に係る情報と関連付けられる。
【００４２】
差異画像３２を記憶領域２ｐに保管するまでのシーケンスについて説明する。先ず、画像処理装置１００が原稿画像３１を保管する記憶領域２ｐを備えている場合について図７で説明する。図７は、図１に示すシステム１００１において画像処理装置が差異画像を保管する場合の差異画像を抽出するためのシーケンスを説明するための図である。
【００４３】
図７において、ユーザーが画像処理装置１００のＵＩ１０７からログインを行うと、ＵＩ１０７は、ログイン要求を制御部１０１へ送信し（ステップＳ１０１）、制御部１０１は、ユーザー情報管理部１１０へログイン要求を送信する（ステップＳ１０２）。ユーザーによるログインは、ユーザーＩＤの入力又はカードからユーザーＩＤが読み込まれることによって行われる。
【００４４】
ログイン後、ユーザーの補足後原稿３０ａを読み取るための操作によって、ＵＩ１０７は、文書読取要求を制御部１０１へ送信する（ステップＳ１０３）。制御部１０１は、文書読取要求を文書読取部１０２へ送信する（ステップＳ１０４）。
【００４５】
文書読取部１０２は、制御部１０１から文書読取要求を受信すると、スキャナを制御してユーザーが設定した補足後原稿３０ａを読み取って補足後原稿画像を生成する（ステップＳ１０５）。例えば、文書読取部１０２は、補足後原稿画像を一時記憶領域１１１の記憶位置情報などを指定する情報を送信することによって、その補足後原稿画像を制御部１０１へ通知する。
【００４６】
制御部１０１は、原稿画像３１を取得するために原稿画像取得要求を原稿管理部１０５へ送信する（ステップＳ１０６）。例えば、原稿管理部１０５は、原稿画像３１が格納されている記憶領域２ｐ内の記憶位置情報などを指定する情報を送信することによって、原稿画像３１を制御部１０１へ通知する。
【００４７】
補足後原稿画像と原稿画像３１とを取得すると、制御部１０１は、補足部分を抽出するために、原稿画像３１と補足後原稿画像とを指定する差異画像抽出要求を差異画像抽出部１０３へ送信する（ステップＳ１０７）。
【００４８】
差異画像抽出部１０３は、画像抽出要求で指定される原稿画像３１と補足後原稿画像とを夫々保管されている記憶領域２ｐから取得して画像比較を行うことによって差異を取得し、補足部分の領域が含まれるように所定方法で差異画像３２を抽出する（ステップＳ１０８）。差異画像抽出部１０３は、差異画像３２を示す抽出結果を制御部１０１へ通知する。
【００４９】
制御部１０１は、差異画像抽出部１０３によって抽出された差異画像３２を保管するために、抽出結果を含む差異画像保管要求を差異画像管理部１０６へ送信する（ステップＳ１０９）。差異画像管理部１０６は、抽出結果に基づいて一時格納領域１１１に格納されている差異画像３２に差異画像ＩＤを付加して記憶領域２ｐへ格納する。この場合、制御部１０１が差異画像管理部１０６へユーザーＩＤを差異画像保存要求で指定することによって、差異画像管理部１０６は、制御部１０１から通知されたユーザーＩＤを差異画像ＩＤに対応させて記憶領域２ｐに記憶するようにしてもよい。
【００５０】
差異画像３２が読み取られ保管されると、ユーザーは、ＵＩ１０７でログアウトを行う。ＵＩ１０７はログアウト要求を制御部１０１に送信し（ステップＳ１１０）、制御部１０１はログアウト要求をユーザー情報管理部１１０へ行う（ステップＳ１１１）。
【００５１】
印刷又は送信の対象とならない原稿画像３１をサーバー２００で保管し管理することによって、原稿画像３１の管理をサーバー２００で集中して行うことができる。各画像処理装置１００にて文書管理機能を備えなくてもよい。サーバー２００で原稿画像３１を管理する場合について図８で説明する。
【００５２】
図８は、サーバーが原稿画像を管理する場合の差異画像を抽出するためのシーケンスを説明するための図である。図８中、図７と同一処理には同一ステップ番号を付し、その説明を省略する。図８では、図２に示すシステム１００２のバリエーションとしてのシステム１０１２において、原稿画像３１の管理を集中的に行うようにサーバー２００を構成し、差異画像抽出部１０３、画像レイアウト部１０４、画像合成部１０９、ユーザー情報管理部１１０等を画像処理装置１００ａに備える構成とする。
【００５３】
図８において、ユーザーが画像処理装置１００ａでログインをして補足後原稿３０ａを読み取るための操作によって、補足後原稿３０ａが読み取られ補足後原稿画像が一時記憶領域１１１に格納される（ステップＳ１０１からＳ１０５）。
【００５４】
そして、画像処理装置１００ａの制御部１０１は、サーバー２００から原稿画像３１を取得するために、原稿画像３１の文書ＩＤを指定する原稿画像取得要求をネットワークＩ／Ｆ１１９へ送信する（ステップＳ１０６−２）。原稿画像３１の文書ＩＤは、ユーザーから取得する。又は、原稿３０を読み取った原稿画像から文書ＩＤが読み取れる仕組みとなっている場合、補足後原稿３０ａの補足後原稿画像からも同様に文書ＩＤを読み取ることができるため、一時記憶領域１１１に格納された補足後原稿画像から所定の文書ＩＤ読取方法によって文書ＩＤを取得するようにしてもよい。
【００５５】
画像処理装置１００ａのネットワークＩ／Ｆ１１９は、原稿画像取得要求をサーバー２００へ送信し（ステップＳ１０６−４）、サーバー２００のネットワークＩ／Ｆ２１９は、画像処理装置１００ａから受信した原稿画像取得要求をサーバー２００の原稿管理部１０５へ送信する（ステップＳ１０６−６）。サーバー２００の原稿管理部１０５は、原稿画像取得要求で指定される文書ＩＤを用いて記憶領域２ｐから原稿画像３１を読み出して、画像処理装置１００ａへ送信する。
【００５６】
画像処理装置１００ａでは、補足後原稿画像と原稿画像３１とから差異画像３２が抽出され、抽出結果と差異画像ＩＤとを指定する差異画像保管要求が制御部１０１から差異画像管理部１０６へ送信される（ステップＳ１０７からＳ１０９）。
【００５７】
差異画像管理部１０６は、抽出結果に基づいて一時格納領域１１１に格納されている差異画像３２に差異画像ＩＤを付加して記憶領域２ｐに保管する。
【００５８】
補足後原稿３０ａが読み取られ保管されると、ユーザーは、ＵＩ１０７でログアウトを行う（ステップＳ１１０及びＳ１１１）。
【００５９】
差異画像抽出処理に時間がかかる場合、演算処理の速いＣＰＵを搭載したサーバーで差異画像抽出処理を実行するように構成することによって、画像処理装置１００ａの演算速度を上げることなく、高速な処理を実現することができる。このようにサーバー２００を構成して差異画像抽出処理を行う場合について図９で説明する。
【００６０】
図９は、サーバーで差異画像抽出処理を行う場合のシーケンスを説明するための図である。図９中、図７と同一処理には同一ステップ番号を付し、その説明を省略する。図９では、図２に示すシステム１００２の他のバリエーションとしてのシステム１０２２において、差異画像抽出処理を高速で行うようにサーバー２００を構成し、画像レイアウト部１０４、原稿管理部１０５、画像合成部１０９、ユーザー情報管理部１１０等を画像処理装置１００ａに備える構成とする。
【００６１】
図９において、ユーザーが画像処理装置１００ａでログインをして補足後原稿３０ａを読み取るための操作によって、補足後原稿３０ａが読み取られて差異画像が一時記憶領域１１１に格納される（ステップＳ１０１からＳ１０５）。
【００６２】
画像処理装置１００ａの制御部１０１は、原稿管理部１０５から原稿画像３１を取得すると（ステップＳ１０６）、サーバー２００に差異画像を抽出させるために、原稿画像３１と補足後原稿画像とを含む差異画像抽出要求をネットワークＩ／Ｆ１１９へ送信する（ステップＳ１０７−２）。
【００６３】
画像処理装置１００ａのネットワークＩ／Ｆ１１９は、差異画像抽出要求をサーバー２００へ送信し（ステップＳ１０７−４）、サーバー２００のネットワークＩ／Ｆ２１９は、画像処理装置１００ａから受信した差異画像抽出要求をサーバー２００の差異画像抽出部１０３へ送信する（ステップＳ１０７−６）。
【００６４】
サーバー２００の差異画像抽出部１０３は、差異画像抽出要求に含まれる原稿画像３１と補足後原稿画像とを画像比較することによって差分を取得し、補足部分の領域が含まれるように所定方法で差異画像３２を抽出する（ステップＳ１０８−２）。サーバー２００の差異画像抽出部１０３は、差異画像３２を示す抽出結果を画像処理装置１００ａの制御部１０１へ通知する。
【００６５】
画像処理装置１００ａの制御部１０１が差異画像管理部１０６を制御して差異画像３２を記憶領域２ｐに保管すると（ステップＳ１０９）、ユーザーは、ＵＩ１０７でログアウトを行う（ステップＳ１１０及びＳ１１１）。
【００６６】
次に、差異画像３２を管理するための差異画像管理テーブルについて図１０で説明する。図１０は、差異画像管理テーブルの第一のデータ構成例を示す図である。図１０において、差異画像管理テーブル４２は、原稿３０の原稿画像３１を特定するための文書ＩＤ、原稿３０において補足部分のあるページ番号を示すページ、差異画像３２を識別するための差異画像ＩＤ、差異画像縦位置、差異画像横位置、差異画像アドレスなどの項目で構成される。差異画像管理テーブル４２では、各差異画像３２が文書ＩＤとページ番号とに関連付けて管理される。
【００６７】
差異画像管理テーブル４２では、文書ＩＤ「１」のページ「１」には、差異画像ＩＤ「１」、「２」及び「３」の夫々で識別される差異画像３２が存在する。
【００６８】
差異画像ＩＤ「１」の差異画像３２は、ページ「１」の所定位置から縦に「８５」ｍｍ及び横に「５６」ｍｍに位置し、格納場所は、差異画像アドレス「ｘｘｘｘｘ１」である。また、差異画像ＩＤ「２」の差異画像３２は、ページ「１」の所定位置から縦に「３２」ｍｍ及び横に「７７」ｍｍに位置し、格納場所は、差異画像アドレス「ｘｘｘｘｘ２」である。差異画像ＩＤ「３」の差異画像３２は、ページ「１」の所定位置から縦に「２３３」ｍｍ及び横に「５５」ｍｍに位置し、格納場所は、差異画像アドレス「ｘｘｘｘｘ３」である。
【００６９】
文書ＩＤ「１」のページ「３」、文書ＩＤ「２」のページ「７」、・・・についても同様に差異画像３２が管理される。
【００７０】
図１１は、差異画像管理テーブルの第二のデータ構成例を示す図である。図１１において、差異画像管理テーブル４２ａは、補足部分のある原稿３０のページを識別するためのページＩＤ、差異画像３２を識別するための差異画像ＩＤ、補足部分を原稿３０上に行ったユーザーＩＤ、差異画像縦位置、差異画像横位置、差異画像アドレスなどの項目で構成される。差異画像管理テーブル４２ａでは、原稿３０を特定する文書ＩＤと原稿３０でのページ番号との組み合わせで管理する代わりに、各差異画像３２がページを一意に特定できるページＩＤと関連付けて管理される。
【００７１】
例えば、差異画像管理テーブル４２ａでは、ページＩＤ「１００１５」、「１００２２」、「１００５３」等で特定されるページに補足部分がなされていることが管理されている。ページＩＤ「１００１５」のページでは、ユーザーＩＤ「２５」のユーザーがこのページ上に行った１つの補足部分に対応する差異画像３２が差異画像ＩＤ「１」で管理され、ユーザーＩＤ「２６」のユーザーがこのページ上に行った２つの補足部分に対応する差異画像３２が差異画像ＩＤ「２」及び差異画像ＩＤ「３」で管理されている。
【００７２】
各差異画像３２の差異画像縦位置、差異画像横位置、差異画像アドレスの管理は、図１０に示す差異画像管理テーブル４２と同様であるのでその説明を省略する。
【００７３】
図１２は、差異画像管理テーブルの第三のデータ構成例を示す図である。図１２において、差異画像管理テーブル４２ｂは、原稿３０の原稿画像３１を特定するための文書ＩＤ、原稿３０において補足部分のあるページのページ番号、差異画像３２を識別するための差異画像ＩＤ、差異画像を格納しているフォルダ名を示す差異画像保管フォルダ、補足部分が対象とする業務を識別する差異画像業務ＩＤ、差異画像３２を作成した日時を示す差異画像作成日時、補足部分を行ったユーザーを識別する差異画像作成ユーザーＩＤ、差異画像縦位置、差異画像横位置、差異画像アドレスなどの項目で構成される。差異画像管理テーブル４２ｂでは、各差異画像３２が文書ＩＤとページ番号とに関連付けて管理され、差異画像保管フォルダ、差異画像業務ＩＤ、差異画像作成日時、差異画像作成ユーザーＩＤ等を各差異画像３２の属性として各差異画像３２に対応付けて管理される。
【００７４】
差異画像保管フォルダを属性として差異画像３２に対応させる。差異画像３２は、例えば、「営業」、「社内／事前チェック」、「yamada_1」、「社内／月例会議」などに分類される。
【００７５】
また、差異画像業務ＩＤを属性として差異画像３２に対応させることによって、差異画像業務ＩＤとして顧客ＩＤを用いて管理してもよい。差異画像３２は、例えば、「abc_corp」、「x_corp」などに分類される。
【００７６】
差異画像作成日時を属性として差異画像３２に対応させることによって、時系列に補足部分がなされた経過で管理することができ、差異画像作成日時は、例えば、「yyyy/mm/dd/hh:mm」（yyyyは西暦、mmは年、ddは日、hh:mmは時分を示す）の形式で示される。
【００７７】
差異画像保管フォルダ、差異画像業務ＩＤ、差異画像作成日時の全てを差異画像３２の属性とする代わりに、いずれか１つ又は２つの組み合わせを属性としてもよい。
【００７８】
各差異画像３２の差異画像縦位置、差異画像横位置、差異画像アドレスの管理は、図１０に示す差異画像管理テーブル４２と同様であるのでその説明を省略する。
【００７９】
以下に、差異画像３２が保管された後にユーザーが差異画像３２と原稿画像３１とを合成するための画面例について説明する。
【００８０】
図１３は、文書一覧画面の例を示す図である。図１３に示す文書一覧画面Ｇ５０は、原稿管理部１０５によって原稿画像３１として管理されている文書の一覧を表示する文書一覧表示域５０ａと、差異画像３２との合成対象を選択するためのページ範囲選択域５０ｂと、合成対象に全ての差異画像３２を合成するためのチェックボックス５０ｃと、差異画像３２と合成された文書をプレビューするためのプレビューボタン５０ｖと、印刷するための印刷ボタン５０ｗと、差異画像３２と合成された文書を所望のあて先へ送信するための送信ボタン５０ｘと、差異画像３２と合成された文書を別文書として保存するための保存ボタン５０ｙ等とで構成される。
【００８１】
文書一覧表示域５０ａには、例えば、「2006年3月22日○○定例打ち合わせ配布資料」、「2006年3月29日○○定例打ち合わせ配布資料」、「2006年4月2日△△情報交換配布資料（１）」、「2006年4月2日△△情報交換配布資料（２）」などの文書名が表示される。
【００８２】
ページ範囲選択域５０ｂでは、「全ページ」、「メモありページのみ」、「メモ部分のみ」のいずれか１つがチェック可能である。
【００８３】
例えば、ユーザーが、文書一覧表示域５０ａから文書名「2006年4月2日△△情報交換配布資料（２）」を選択し、ページ範囲選択域５０ｂで「全ページ」を選択し、チェックボックス５０ｃをチェックして、プレビューボタン５０ｖを押下すると、図１４に示すようなプレビュー画面Ｇ５１が画像処理装置１００（又は１００ａ）の表示部１０７ｂ又はＰＣ１０のＵＩ１４に表示される。
【００８４】
図１４は、プレビュー画面の例を示す図である。図１４に示すプレビュー画面Ｇ５１は、差異画像３２をメモとして表示するメモ表示域５１ａと、プレビュー対象とするページ範囲を選択するためのページ範囲選択域５１ｂと、全ての差異画像３２を合成するためのチェックボックス５１ｃと、プレビュー表示域５１ｈと、前ページを表示するための前ページボタン５１ｍと、次ページを表示するための次ページボタン５１ｎと、全ページ数と現在のページとを表示する表示域５１ｐと、印刷するための印刷ボタン５１ｗと、差異画像３２と合成された文書を所望のあて先へ送信するための送信ボタン５１ｘと、差異画像３２と合成された文書を別文書として保存するための保存ボタン５１ｙ等とで構成される。
【００８５】
メモ表示域５１ａには、差異画像３２毎に合成させるためのチェック域５１ａ−２があり、ユーザーに個々に差異画像３２の合成の有無を選択可能としている。合成対象に全ての差異画像３２を合成するため、ユーザーがチェックボックス５１ｃをチェックすると、自動的にメモ表示域５１ａに表示される差異画像３２の全てに対してチェック域５１ａ−２がチェックされる。
【００８６】
プレビュー表示域５１ｈには、文書一覧画面Ｇ５０の文書一覧表示域５０ａからユーザーが選択した文書の原稿画像３０にメモ表示域５１ａでチェック域５１ａ−２がチェックされている差異画像３２を合成した状態が表示される。
【００８７】
ページ範囲選択域５１ｂは、「全ページ」、「メモありページのみ」、「メモ部分のみ」等の選択項目を有する。「全ページ」が選択された場合は、補足部分のあるページは合成され、補足部分のないページ（例えば、手書きメモのないページ）も含めて全ページがプレビュー表示域５１ｈに表示され印刷される。「メモありページのみ」が選択された場合は、補足部分のあるページのみ（例えば、手書きメモのあるページのみ）が合成されてプレビュー表示域５１ｈに表示され印刷される。「メモ部分のみ」が選択された場合は、差異画像３２が補足部分を含むページ内の領域と合成されてプレビュー表示域５１ｈに表示され印刷される。
【００８８】
ユーザーが前ページボタン５１ｍと次ページボタン５１ｎとを操作するたびに、メモ表示域５１ａにはページに対応する差異画像３２が表示され、プレビュー表示域５１ｈには指定されたページの原稿画像３０にメモ表示域５１ａに表示されている差異画像３２が合成されて表示される。
【００８９】
次に、原稿画像３１と差異画像３２とを合成するためのシーケンスについて図１５から図２４で説明する。
【００９０】
ユーザーが文書の全ページをユーザー自身が行った補足部分（例えば、手書きメモ）つきで参照して印刷する場合のシーケンスについて図１５で説明する。図１５は、差異画像を合成したページも含めて全ページを表示し印刷する場合のシーケンスを説明するための図である。図１５中、図１５で示される各処理部が画像処理装置１００に構成される場合でシーケンスを説明するが、ユーザー情報管理部１１０、画像合成部１０２、原稿管理部１０５、及び差異画像管理部１０６のいずれか１つ以上をサーバー２００が備えた構成においても同様のシーケンスとなる。
【００９１】
図１５において、ユーザーが画像処理装置１００のＵＩ１０７からログインを行うと、ＵＩ１０７は、ログイン要求を制御部１０１へ送信し（ステップＳ２０１）、制御部１０１は、ユーザー情報管理部１１０へログイン要求を送信する（ステップＳ２０２）。ユーザーによるログインは、ユーザーＩＤの入力又はカードからユーザーＩＤが読み込まれることによって行われる。
【００９２】
ユーザーがログイン後に表示部１０７ｂに表示された文書一覧画面Ｇ５０で所望の文書を選択して、「全ページ」を指定してプレビューボタン５０ｖを押下すると、ＵＩ１０７は、プレビュー作成要求を制御部１０１へ送信する（ステップＳ２０３）。
【００９３】
制御部１０１は、ユーザーが選択した文書にユーザーが手書きしたメモの差異画像を取得するために、ユーザーが選択した文書に相当する原稿画像３１の文書ＩＤとユーザーＩＤとを指定した差異画像取得要求を差異画像管理部１０６へ送信する（ステップＳ２０４）。差異画像管理部１０６は、記憶領域ｐに格納されている差異画像管理テーブル４２ｂを参照して、文書ＩＤとユーザーＩＤとを用いてユーザーの差異画像３２を一時記憶領域１１１に読み出す（図１７（Ａ）に示す状態ａ）。
【００９４】
次に、制御部１０１は、ユーザーが指定した文書の原稿画像３１を取得するために、文書ＩＤと「全ページ」を指定する原稿画像取得要求を原稿管理部１０５に送信する（ステップＳ２０５）。原稿管理部１０５は、文書ＩＤで記憶領域ｐに格納されている原稿画像３１を一時記憶領域１１１に読み出す（図１７（Ｂ）に示す状態ｂ）。
【００９５】
更に、制御部１０１は、原稿画像３１にユーザーのメモの差異画像３２を合成するために、画像合成要求を画像合成部１０２に送信する（ステップＳ２０６）。画像合成部１０２は、原稿画像３１と差異画像３２とを合成する画像合成を行う（図１７（Ｃ）に示す状態ｃ）（ステップＳ２０７）。
【００９６】
その後、制御部１０１は、合成された画像を用いて「全ページ」をプレビューするプレビュー画面Ｇ５１を表示部１０７ｂに表示するために、プレビュー表示要求をＵＩ１０７へ送信する（ステップＳ２０８）。
【００９７】
ユーザーが表示部１０７ｂに表示されたプレビュー画面Ｇ５１で差異画像３２が合成された原稿画像３１を確認後に「全ページ」を印刷するために印刷ボタン５１ｗを押下すると、ＵＩ１０７は、文書を印刷するために印刷要求を制御部１０１へ送信する（ステップＳ２０９）。そして、制御部１０１は、印刷要求を文書印刷部１０８へ送信する（ステップＳ２１０）。
【００９８】
ユーザーが文書を印刷後にログアウトを行うと、ＵＩ１０７は、ログアウト要求を制御部１０１に送信する（ステップＳ２１１）。そして、制御部１０１は、ログアウト要求をユーザー情報管理部１１０に送信する（ステップＳ２１２）。
【００９９】
ユーザーが手書きでメモしたページのみを参照して印刷する場合のシーケンスについて図１６で説明する。図１６は、ユーザーが手書きでメモしたページのみを差異画像３２で合成して表示し印刷する場合のシーケンスを説明するための図である。図１６中、図１６で示される各処理部が画像処理装置１００に構成される場合でシーケンスを説明するが、ユーザー情報管理部１１０、画像合成部１０２、原稿管理部１０５、及び差異画像管理部１０６のいずれか１つ以上をサーバー２００が備えた構成においても同様のシーケンスとなる。また、図１５と同一処理には同一ステップ番号を付し、その説明を省略する。
【０１００】
図１６において、ユーザーがログイン後に（ステップＳ２０１及びＳ２０２）、表示部１０７ｂに表示された文書一覧画面Ｇ５０で所望の文書を選択して、「メモありページのみ」を指定してプレビューボタン５０ｖを押下すると、ＵＩ１０７は、プレビュー作成要求を制御部１０１へ送信する（ステップＳ２０３）。
【０１０１】
制御部１０１は、文書ＩＤとユーザーＩＤとを指定した差異画像取得要求を差異画像管理部１０６に送信することによって、差異画像３２を一時記憶領域１１１に読み出す（図１７（Ａ）に示す状態ａ）（ステップＳ２０４）。
【０１０２】
その後、制御部１０１は、ユーザーが指定した文書の原稿画像３１を取得するために、文書ＩＤと「メモありページのみ」を指定する原稿画像取得要求を原稿管理部１０５に送信する（ステップＳ２０５−２）。原稿管理部１０５は、一時記憶領域１１１に格納されている差異画像３２の情報に基づいて、例えば、差異画像管理テーブル４２、４２ａ又は４２ｂを参照して、差異画像３２が合成されるべきページ番号を取得し、記憶領域ｐに格納されている文書ＩＤで識別される文書のページ番号に対応する原稿画像３１を特定して一時記憶領域１１１に読み出す（図１７（Ｂ）に示す状態ｂ）。
【０１０３】
更に、制御部１０１は、原稿画像３１にユーザーのメモの差異画像３２を合成するために、画像合成要求を画像合成部１０２に送信する（ステップＳ２０６）。画像合成部１０２は、差異画像３２のページ番号と原稿画像３１のページ番号とを対応させながら、差異画像３２と原稿画像３１とを合成する画像合成を行う（図１７（Ｃ）に示す状態ｃ）（ステップＳ２０７−２）。
【０１０４】
その後、ユーザーが表示部１０７ｂに表示されたプレビュー画面Ｇ５１で差異画像３２が合成された原稿画像３１を確認後に「メモありページのみ」を印刷して（ステップＳ２０８からＳ２１０）、ログアウトする（ステップＳ２１１及びＳ２１２）。
【０１０５】
原稿画像３１に差異画像３２を合成する画像合成の状態を図１７で説明する。図１７中、原稿画像保管領域１１２ａと差異画像保管領域１１２ｂとは、記憶領域ｐなどの領域の一部である。原稿画像保管領域１１２ａは、原稿管理部１０５によって管理され、原稿画像３１を保管する領域であり、差異画像保管領域１１２ｂは、差異画像管理部１０６によって管理され、差異画像３２を保管する領域である。
【０１０６】
図１７（Ａ）は、図１５及び図１６の差異画像取得要求による状態ａ及び状態ａ−２を示す図である。図１７（Ａ）において、差異画像管理部１０６は、文書ＩＤとユーザーＩＤとで差異画像管理テーブル４２ｂから差異画像のアドレスを取得して、差異画像保管領域１１２ｂから差異画像３２を読み出して一時記憶領域１１１へ転送する。
【０１０７】
図１７（Ｂ）は、図１５及び図１６の原稿画像取得要求による状態ｂ及び状態ｂ−２を示す図である。図１７（Ｂ）において、原稿管理部１０５は、原稿画像取得要求で「全ページ」が指定されている場合、文書ＩＤによって原稿画像保管領域１１２ａから文書の全ページの原稿画像３１を読み出して一時記憶領域１１１へ転送する。
【０１０８】
原稿画像取得要求で「メモありページのみ」が指定される場合には、原稿管理部１０５は、図１７（Ａ）で一時記憶領域１１１に格納された差異画像３２の情報から対応するページを特定してそのページの原稿画像３１を読み出して一時記憶領域１１１へ転送する。
【０１０９】
図１７（Ｃ）は、図１５及び図１６の画像合成による状態ｃ及び状態ｃ−２を示す図である。図１７（Ｃ）において、画像合成部１０２は、一時記憶領域１１１に格納されている原稿画像３１と差異画像３２とを合成した合成画像３３を生成する。
【０１１０】
ユーザーがユーザーの手書きメモのある領域のみを表示して印刷する場合のシーケンスについて図１８で説明する。図１８は、ユーザーの手書きメモの差異画像と原稿画像の差異画像を含む領域とを合成して表示し印刷する場合のシーケンスを説明するための図である。図１８中、図１８で示される各処理部が画像処理装置１００に構成される場合でシーケンスを説明するが、ユーザー情報管理部１１０、画像合成部１０２、原稿管理部１０５、及び差異画像管理部１０６のいずれか１つ以上をサーバー２００が備えた構成においても同様のシーケンスとなる。また、図１５と同一処理には同一ステップ番号を付し、その説明を省略する。
【０１１１】
図１８において、ユーザーがログイン後に（ステップＳ２０１及びＳ２０２）、表示部１０７ｂに表示された文書一覧画面Ｇ５０で所望の文書を選択して、「メモ部分のみ」を指定してプレビューボタン５０ｖを押下すると、ＵＩ１０７は、プレビュー作成要求を制御部１０１へ送信する（ステップＳ２０３）。
【０１１２】
制御部１０１は、文書ＩＤとユーザーＩＤとを指定した差異画像取得要求を差異画像管理部１０６に送信することによって、差異画像３２を一時記憶領域１１１に読み出す（図１９（Ａ）の状態ａ）（ステップＳ２０４−４）。
【０１１３】
その後、制御部１０１は、ユーザーが指定した文書の原稿画像３１を取得するために、文書ＩＤと「メモ部分のみ」を指定する原稿画像取得要求を原稿管理部１０５に送信する（ステップＳ２０５−４）。原稿管理部１０５は、一時記憶領域１１１に格納されている差異画像３２の情報に基づいて、原稿画像３１の差異画像３２のある領域のみ読み出して一時記憶領域１１１に格納する（図１９（Ｂ）に示す状態ｂ）。
【０１１４】
次に、制御部１０１は、差異画像３２とユーザーのメモの差異画像３２を含む領域とを合成するために、画像合成要求を画像合成部１０２に送信する（ステップＳ２０６−４）。画像合成部１０２は、一時記憶領域１１１に格納されている差異画像３２と原稿画像３１の差異画像３２を含む領域とを合成した画像を生成し一時記憶領域１１１に格納する（図１９（Ｃ）に示す状態ｃ）（ステップＳ２０７−４）。
【０１１５】
そして、制御部１０１は、差異画像３２を含む領域をレイアウトするために画像レイアウト要求を画像レイアウト部１０４へ送信する（ステップＳ２０７−８）。画像レイアウト部１０４は、印刷する用紙サイズに合わせて合成した画像をレイアウトする（図１９（Ｄ）に示す状態ｄ）（ステップＳ２０７−９）。
【０１１６】
その後、ユーザーが表示部１０７ｂに表示されたプレビュー画面Ｇ５１で差異画像３２が合成された原稿画像３１を確認後に「メモありページのみ」を印刷して（ステップＳ２０８からＳ２１０）、ログアウトする（ステップＳ２１１及びＳ２１２）。
【０１１７】
差異画像３２と原稿画像３１の差異画像３２を含む領域とを合成する画像合成の状態を図１９で説明する。
【０１１８】
図１９（Ａ）は、図１８の差異画像取得要求による状態ａ−４を示す図である。図１９（Ａ）において、差異画像管理部１０６は、文書ＩＤとユーザーＩＤとで差異画像管理テーブル４２ｂから差異画像のアドレスを取得して、差異画像保管領域１１２ｂから差異画像３２を読み出して一時記憶領域１１１へ転送する。
【０１１９】
図１９（Ｂ）は、図１８の原稿画像取得要求による状態ｂ−４を示す図である。図１９（Ｂ）において、原稿管理部１０５は、原稿画像取得要求で「メモ部分のみ」が指定されている場合、原稿管理部１０５は、図１９（Ａ）で一時記憶領域１１１に格納された差異画像３２の情報から対応するページを特定する。そして、原稿管理部１０５は、差異画像３２の情報で示される差異画像縦位置及び差異画像横位置を示す位置情報に基づいて、特定したページの原稿画像３１から差異画像３２を含む領域３１−２を読み出して一時記憶領域１１１へ転送する。
【０１２０】
一時記憶領域１１１には、差異画像３２と原稿画像３１から取り出した差異画像３２を含む領域３１−２とが格納される。差異画像３２と領域３１−２との対応関係は、制御部１０１で管理される。
【０１２１】
図１９（Ｃ）は、図１８の画像合成による状態ｃ−４を示す図である。図１９（Ｃ）において、画像合成部１０２は、一時記憶領域１１１に格納されている差異画像３２と原稿画像３１から取り出した差異画像３２を含む領域３１−２とを合成し、合成された合成画像３３−２を一時記憶領域１１１へ格納する。
【０１２２】
図１９（Ｄ）は、図１８の画像レイアウト要求による状態ｄ−２を示す図である。図１９（Ｄ）において、画像レイアウト部１０４は、一時記憶領域１１１に格納されている合成画像３３−２を印刷する用紙サイズに合わせてレイアウトした合成レイアウト画像３４を生成する。
【０１２３】
図２０は、差異画像のある領域を説明するための図である。図２０に示すように、差異画像３２のある領域４２ｂは、差異画像３２の領域４２ａに対して縦横に所定マージンを持たせて周辺画像を含むようにした領域であり、差異画像３２を合成すべきページの原稿画像３１から読み出される。
【０１２４】
画像レイアウト部１０４による合成レイアウト画像３４の例について図２１で説明する。図２１は、合成レイアウト画像の例を示す図である。図２１に示す合成レイアウト画像３４では、合成された合成画像３３−２の大きさに応じて、１つ以上の合成された合成画像３３−２がページ順に印刷する用紙サイズ４４内に配置され、合成された合成画像３３−２毎にページ番号４３が付される。
【０１２５】
合成レイアウト画像３４は表示部１０７ｂに表示され、ユーザーは各合成画像３３−２のサイズを自由に変更することができる。ユーザーが合成画像３３−２のサイズを変更する操作例について図２２で説明する。
【０１２６】
図２２（Ａ）において、ユーザーが合成レイアウト画像３４において印刷する用紙サイズに合わせてレイアウトされているＰ．７の補足部分（例えば、手書き部分）の合成画像３３ｅ−２を選択すると、図２２（Ｂ）に示すように、印刷する用紙サイズ４４内にユーザーが選択された合成画像３３ｅ−２のみが表示される。
【０１２７】
図２２（Ｂ）において、ユーザーは、合成画像３３ｅ−２の一辺又は端をドラッグすることによって合成画像３３ｅ−２の縦幅及び横幅を自由に設定できる。合成画像３３ｅ−２のサイズが変更されると、画像レイアウト部１０４は、レイアウトを再度実行する。
【０１２８】
ユーザーが、複数のユーザーによる手書きメモを１文書に合成して参照する場合について図２３で説明する。図１５及び図２１において、ユーザーがログイン後に手書きメモの表示対象として「全ユーザー」を指定することによって、ステップ２０４における差異画像取得要求には、文書ＩＤと「全ユーザー」が指定される。図１８のステップＳ２０４−４についても同様である。
【０１２９】
例えば、図２３（Ａ）に示すような、原稿３０の同一ページに、ユーザーＡの手書きメモ３７ａと、ユーザーＢの手書きメモ３７ｂと、ユーザーＣの手書きメモ３７ｃとがある場合に一文書に合成すると、そのページの原稿画像３１内に、ユーザーＡの手書きメモ３７ａの差異画像３２ａと、図２３（Ｂ）に示すように、ユーザーＢの手書きメモ３７ｂの差異画像３２ｂと、ユーザーＣの手書きメモ３７ｃの差異画像３２ｃとが合成された合成画像３３ｐが生成される。
【０１３０】
合成画像３３ｐは、図１４に示すプレビュー画面Ｇ５１のプレビュー表示域５１ｈに表示され、ユーザーは、複数のユーザーによる手書きメモが統合された状態を参照することができる。プレビュー表示域５１ｈに合成画像３３ｐが表示及び印刷される際には、ユーザーＡ、ユーザーＢ、ユーザーＣ毎に異なる色で手書きメモ部分が表示されるようにしてもよい。
【０１３１】
図２４は、複数のユーザーによる手書きメモのみがレイアウトされた合成レイアウト画像の例を示す図である。図２４に示す合成レイアウト画像３４ｐでは、合成された合成画像３３−２の大きさに応じて、１つ以上の合成された合成画像３３−２がページ順に印刷する用紙サイズ４４内に配置され、合成された合成画像３３−２毎にページ番号及びユーザー名４３−２が付される。
【０１３２】
上述したように、原稿画像３１と手書きメモのある原稿の画像とを比較することによって、差異画像３２を取得し、原稿画像３１と差異画像３２とを分けて保管する。
【０１３３】
差異画像管理テーブル４２、４２ａ、又は４２ｂを用いることによって、手書きメモのあるページだけを合成して表示部１０７ｂに表示することができる。また、手書きメモのある領域だけを自動的に用紙サイズに合わせてレイアウトして表示部１０７ｂに表示することができる。
【０１３４】
また、レイアウトされている複数の合成画像３３から選択した合成画像３３の画像サイズをユーザーが変更することができる。更に、複数のユーザーの手書きメモを１文書に合成して表示部１０７ｂに表示することができる。
【０１３５】
以下、差異画像管理テーブル４２ｂで管理される差異画像３２の属性を利用して合成対象を指定する場合について説明する。
【０１３６】
差異画像管理テーブル４２ｂの差異画像作成日時を利用する場合について説明する。図２５は、合成対象の範囲を差異画像作成日時で指定可能なプレビュー画面の例を示す図である。図１３に示す文書一覧画面Ｇ５０にて、ユーザーが文書一覧表示域５０ａから文書を選択してプレビューボタン５０ｖを押下すると、プレビュー画面Ｇ５３が画像処理装置１００（又は１００ａ）の表示部１０７ｂ又はＰＣ１０のＵＩ１４に表示される。
【０１３７】
図２５に示すプレビュー画面Ｇ５３は、差異画像３２をメモとして表示するメモ表示域５３ａと、プレビュー対象とするページ範囲を選択するためのページ範囲選択域５３ｂと、合成対象となる差異画像３２を選択するための差異画像範囲選択域５３ｆと、プレビュー表示域５３ｈと、前ページを表示するための前ページボタン５３ｍと、次ページを表示するための次ページボタン５３ｎと、全ページ数と現在のページとを表示する表示域５３ｐと、印刷するための印刷ボタン５３ｗと、差異画像３２と合成された文書を所望のあて先へ送信するための送信ボタン５３ｘと、差異画像３２と合成された文書を別文書として保存するための保存ボタン５３ｙ等とで構成される。
【０１３８】
メモ表示域５３ａには、差異画像３２毎に合成させるためのチェック域５３ａ−２と、差異画像３２が作成された作成日時５３ａ−４とがある。チェック域５３ａ−２によって、ユーザーに個々に差異画像３２の合成の有無を選択可能としている。チェック域５３ａ−２になされたチェックの有効／無効は、差異画像範囲選択域５３ｆにおけるユーザーの選択による。また、作成日時５３ａ−４は、差異画像管理テーブル４２ｂで管理される差異画像３２の属性としての差異画像作成日時に相当する。
【０１３９】
差異画像範囲選択域５３ｆには、「個別指定」、「全てのメモを合成」、「日時指定」等の選択項目を有する。「個別指定」が選択された場合は、メモ表示域５３ａのチェック域５３ａ−２になされたチェックが有効となる。「全てのメモを合成」が選択された場合は、メモ表示域５３ａに表示される全ての差異画像３２が合成対象となる。「日時指定」が選択された場合は、日時範囲を設定する日時設定域５３ｆ−７が有効となり、ユーザーによって日時が日時設定域５３ｆ−７に設定される。
【０１４０】
ページ範囲選択域５３ｂ、プレビュー表示域５３ｈ、前ページボタン５３ｍ、次ページボタン５３ｎ、表示域５３ｐ、印刷ボタン５３ｗ、送信ボタン５３ｘ、及び保存ボタン５３ｙは、図１４に示すページ範囲選択域５１ｂ、プレビュー表示域５１ｈ、前ページボタン５１ｍ、次ページボタン５１ｎ、表示域５１ｐ、印刷ボタン５１ｗ、送信ボタン５１ｘ、及び保存ボタン５１ｙと同等であるので説明を省略する。
【０１４１】
プレビュー画面Ｇ５３にてユーザーが合成対象の日付範囲を指定することで、その日時範囲において手書きメモ等の補足部分がなされた状況をプレビュー表示域５３ｈで表示することができる。例えば、同じ資料を使って何度も打合せした場合、会議毎に補足される手書きメモを合成対象としてプレビューすることによって、会議毎の討議内容を把握することができる。
【０１４２】
また、手書きで文書を作成する場合、差異画像作成日時を更新履歴として利用することができる。いつどのような文書を作成したかを確認することができる。
【０１４３】
差異画像管理テーブル４２ｂの差異画像業務ＩＤを利用する場合について説明する。図２６は、業務を指定して差異画像を抽出するための文書一覧画面の例を示す図である。図２６に示す文書一覧画面Ｇ６０は、原稿管理部１０５によって原稿画像３１として管理されている文書の一覧を表示する文書一覧表示域６０ａと、業務を選択可能な業務一覧を表示する業務一覧表示域６０ｂと、補足後原稿３０ａを読み取って差異画像３２を抽出するための読取開始ボタン６０ｓとを有する。
【０１４４】
ユーザーは、文書一覧表示域６０ａから手書き部分等の補足部分がなされていない元の原稿３０に相当する原稿文書名を選択し、業務一覧表示域６０ｂから補足部分が対象となる業務（例えば、顧客名）を選択して、読取開始ボタン６０ｓを押下すると、補足部分がなされている補足後原稿３０ａを読み取って、ユーザーが選択した原稿３０の原稿画像３１を用いて差異画像３２の抽出処理が行われる。
【０１４５】
図２７は、補足後原稿を読み取って抽出した差異画像を業務に対応させるためのシーケンスを説明するための図である。図２７中、図７に示す同様のステップには同一符号を付しその詳細な説明を省略する。また、各処理部１０３、１０５、１０６、及び１１０が画像処理装置１００ａの内部又は外部に備えられることを特定しない。各処理部１０３、１０５、１０６、及び１１０がネットワーク２を介してアクセスされる場合においても同様のシーケンスであるため、図２７ではネットワーク２を介した通信シーケンスは省略される。
【０１４６】
図２７において、ログイン終了後（ステップＳ１０１及びＳ１０２）、制御部１０１は、図２６に示す文書一覧画面Ｇ６０を構成するために必要な情報を所定記憶領域から取得する。
【０１４７】
例えば、原稿３０の原稿画像３１の文書名及び文書ＩＤが原稿管理部１０５で管理され、制御部１０１は、文書一覧表示域６０ａに文書名の一覧を表示するために原稿管理部１０５から文書名及び文書ＩＤの一覧を取得する。文書名及び文書ＩＤがユーザーＩＤに関連付けられている場合、制御部１０１は、ユーザーＩＤで原稿管理部１０５に問い合わせればよい。
【０１４８】
また、業務及び業務ＩＤがユーザー情報管理部１１０で管理されている場合、制御部１０１は、業務一覧表示域６０ｂに業務名の一覧を表示するためにユーザー情報管理部１１０から業務及び業務ＩＤを取得する。業務及び業務ＩＤがユーザーＩＤに関連付けられている場合、制御部１０１は、ユーザーＩＤでユーザー情報管理部１１０に問い合わせればよい。業務として顧客名、業務ＩＤとして顧客ＩＤが用いられてもよい。
【０１４９】
図２６に示す文書一覧画面Ｇ６０からユーザーによって業務が指定され読取開始が指示されると（ステップＳ１０３−２）、ＵＩ１０７は、文書読取要求を制御部１０１へ送信する（ステップＳ１０３−４）。制御部１０１は、文書読取部１０２に補足後原稿３０ａを読み取らせ（ステップＳ１０４及びＳ１０５）、原稿管理部１０５から図２６に示す文書一覧画面Ｇ６０からユーザーが選択した文書名に相当する原稿画像３１を取得して（ステップＳ１０６）、差異画像抽出部１０３に差異画像３２を抽出させる（ステップＳ１０７及びＳ１０８）。
【０１５０】
制御部１０１は、差異画像抽出部１０３によって抽出された差異画像３２を保管するために、差異画像保管要求を差異画像保管部１０６へ送信する（ステップＳ１０９−２）。差異画像保管要求には、少なくとも、文書ＩＤ、ページ番号、業務ＩＤ、差異画像抽出部１０３によって抽出された差異画像３２が含まれる。
【０１５１】
差異画像管理部１０６は、差異画像保管要求に応じて、差異画像３２に差異画像ＩＤを付加して記憶領域２ｐへ格納し、差異画像管理テーブル４２ｂにレコードが追加される。この場合、差異画像保管フォルダ、差異画像作成日時、差異画像作成ユーザーＩＤは、差異画像保管要求では省略されていてもよい。
【０１５２】
図２８は、合成対象の範囲を業務で指定可能なプレビュー画面の例を示す図である。図２８に示すプレビュー画面Ｇ６１は、図２５に示すプレビュー画面Ｇ５３のメモ表示域５３ａと差異画像範囲選択域５３ｆがメモ表示域６１ａと差異画像範囲選択域６１ｆである以外は、同様の構成である。従って、メモ表示域６１ａと差異画像範囲選択域６１ｆのみ説明する。
【０１５３】
メモ表示域６１ａには、差異画像３２毎に合成させるためのチェック域６１ａ−２と、差異画像３２が関連する業務ＩＤを表示する業務ＩＤ表示域６１ａ−４とがある。チェック域６１ａ−２は、図２５に示すプレビュー画面Ｇ５３のチェック域５３ａ−２と同様である。業務ＩＤ表示域６１ａ−４は、差異画像管理テーブル４２ｂで管理される差異画像３２の属性としての差異画像業務ＩＤを表示する。
【０１５４】
差異画像範囲選択域６１ｆには、「個別指定」、「全てのメモを合成」、「業務指定」等の選択項目を有する。「個別指定」及び「全てのメモを合成」は、図２５に示すプレビュー画面Ｇ５３の差異画像範囲選択域５３ｆと同様である。「業務指定」が選択された場合は、業務を選択する業務選択域６１ｆ−７が有効となり、ユーザーによって業務が業務選択域６１ｆ−７から選択される。
【０１５５】
例えば、ユーザーが「業務指定」を選択して、業務選択域６１ｆ−７から「abc_corp」を選択すると、メモ表示域６１ａに表示される５ページメモ（１）、５ページメモ（２）、５ページメモ（３）の差異画像３２のうち、業務ＩＤ表示域６１ａ−４で示される業務ＩＤが「abc_corp」と一致する５ページメモ（１）と５ページメモ（２）の差異画像３２が５ページ目の原稿画像３１で合成されてプレビュー表示域５３ｈに表示される。他のページにおいても同様の方法で合成される。
【０１５６】
プレビュー画面Ｇ６１にてユーザーが合成対象の業務を選択することで、その業務において手書きメモ等の補足部分がなされた状況をプレビュー表示域５３ｈで表示することができる。例えば、同じ資料を使って複数の業務で異なる変更がなされた場合、業務毎に手書きメモを合成対象としてプレビューすることによって、業務別に変更内容を把握することができる。
【０１５７】
図２９は、業務に対応する差異画像を合成したページを表示し印刷する場合のシーケンスを説明するための図である。図２９中、図１５に示す同様のステップには同一符号を付しその詳細な説明を省略する。また、各処理部１０３、１０５、１０６、及び１１０が画像処理装置１００ａの内部又は外部に備えられることを特定しない。各処理部１０３、１０５、１０６、及び１１０がネットワーク２を介してアクセスされる場合においても同様のシーケンスであるため、図２９ではネットワーク２を介した通信シーケンスは省略される。
【０１５８】
図２９において、ログイン終了後（ステップＳ２０１及びＳ２０２）、ユーザーが表示部１０７ｂに表示された図１３に示す文書一覧画面Ｇ５０と同様の画面から所望の文書を選択してプレビューボタン５０ｖを押下すると、図２８に示すプレビュー画面Ｇ６１が表示される。ユーザーがプレビュー画面Ｇ６１から「業務指定」を選択し、有効となった業務選択域６１ｆ−７から業務を選択する（ステップＳ２０３−２）。
【０１５９】
制御部１０１は、文書ＩＤと業務ＩＤとを指定した差異画像取得要求を差異画像管理部１０６へ送信する（ステップＳ２０４−２）。差異画像管理部１０６は、記憶領域ｐに格納されている差異画像管理テーブル４２ｂを参照して、文書ＩＤと業務ＩＤとを用いて差異画像３２を読み出して制御部１０１に通知する。この場合、差異画像３２が格納されているアドレスがページ番号に対応させて制御部１０１に通知されればよい。
【０１６０】
次に、制御部１０１は、原稿管理部１０５に文書ＩＤに対応する原稿画像３１を取得させ（ステップＳ２０５）、文書印刷部１０８に、差異画像３２が合成されるべきページ番号に基づいて、原稿画像３１と差異画像３２とを合成させる（ステップＳ２０６及びＳ２０７）。
【０１６１】
そして、制御部１０１は、ＵＩ１０７に対して、ユーザーが選択した業務に対応する画像合成を図２８に示すプレビュー画面Ｇ６１のプレビュー表示域５３ｈに表示させる（ステップＳ２０８）。ユーザーによる印刷ボタン５１ｗの押下に応じて、制御部１０１は、文書印刷部１０８にプレビュー表示域５３ｈに表示させた合成画像で印刷させる（ステップＳ２０９及びＳ２１０）。
【０１６２】
その後、ユーザーによるログアウト操作に応じて、制御部１０１は、ログアウト要求をユーザー情報管理部１１０に送信する（ステップＳ２１１及びＳ２１２）。
【０１６３】
差異画像管理テーブル４２ｂの差異画像保管フォルダを利用する場合について説明する。図３０は、業務を指定して差異画像を抽出するための文書一覧画面の例を示す図である。図３０に示す文書一覧画面Ｇ６４は、原稿管理部１０５によって原稿画像３１として管理されている文書の一覧を表示する文書一覧表示域６４ａと、差異画像３２を保管するフォルダを選択可能なフォルダ一覧を表示するフォルダ選択域６４ｂと、補足後原稿３０ａを読み取って差異画像３２を抽出するための読取開始ボタン６４ｓとを有する。
【０１６４】
ユーザーは、文書一覧表示域６４ａから手書き部分等の補足部分がなされていない元の原稿３０に相当する原稿文書名を選択し、フォルダ選択域６４ｂから補足部分が対象となるフォルダを選択して、読取開始ボタン６４ｓを押下すると、補足部分がなされている補足後原稿３０ａを読み取って、ユーザーが選択した原稿３０の原稿画像３１を用いて差異画像３２の抽出処理が行われる。
【０１６５】
フォルダ選択域６４ｂでは、例えば、差異画像管理部１０６が階層構造で差異画像３２を保管している場合、フォルダが階層構造で表示される。
【０１６６】
図３１は、補足後原稿を読み取って抽出した差異画像をフォルダに保管するためのシーケンスを説明するための図である。図３１中、図２７に示す同様のステップには同一符号を付しその詳細な説明を省略する。また、各処理部１０３、１０５、１０６、及び１１０が画像処理装置１００ａの内部又は外部に備えられることを特定しない。各処理部１０３、１０５、１０６、及び１１０がネットワーク２を介してアクセスされる場合においても同様のシーケンスであるため、図３１ではネットワーク２を介した通信シーケンスは省略される。
【０１６７】
図３１において、ログイン終了後（ステップＳ１０１及びＳ１０２）、制御部１０１は、図３１に示す文書一覧画面Ｇ６４を構成するために必要な情報を原稿管理部１０５、差異画像管理部１０６などから取得する。
【０１６８】
図３０に示す文書一覧画面Ｇ６４からユーザーによって保管フォルダが指定され読取開始が指示されると（ステップＳ１０３−６）、ＵＩ１０７は、文書読取要求を制御部１０１へ送信する（ステップＳ１０３−８）。制御部１０１は、文書読取部１０２に補足後原稿３０ａを読み取らせ（ステップＳ１０４及びＳ１０５）、原稿管理部１０５から図３０に示す文書一覧画面Ｇ６０からユーザーが選択した文書名に相当する原稿画像３１を取得して（ステップＳ１０６）、差異画像抽出部１０３に差異画像３２を抽出させる（ステップＳ１０７及びＳ１０８）。
【０１６９】
制御部１０１は、差異画像抽出部１０３によって抽出された差異画像３２を保管するために、差異画像保管要求を差異画像保管部１０６へ送信する（ステップＳ１０９−６）。差異画像保管要求には、少なくとも、文書ＩＤ、ページ番号、保管フォルダを指定する情報、差異画像抽出部１０３によって抽出された差異画像３２が含まれる。
【０１７０】
差異画像管理部１０６は、差異画像保管要求に応じて、差異画像３２に差異画像ＩＤを付加して記憶領域２ｐへ格納し、差異画像管理テーブル４２ｂにレコードが追加される。この場合、差異画像業務ＩＤ、差異画像作成日時、差異画像作成ユーザーＩＤは、差異画像保管要求では省略されていてもよい。
【０１７１】
図３２は、合成対象の範囲を保管フォルダで指定可能なプレビュー画面の例を示す図である。図３２に示すプレビュー画面Ｇ６５は、図２５に示すプレビュー画面Ｇ５３のメモ表示域５３ａと差異画像範囲選択域５３ｆがメモ表示域６１ａと差異画像範囲選択域６５ｆである以外は、同様の構成である。従って、メモ表示域６１ａと差異画像範囲選択域６５ｆのみ説明する。
【０１７２】
メモ表示域６５ａには、差異画像３２毎に合成させるためのチェック域６５ａ−２と、差異画像３２が関連する保管フォルダ名を表示する保管フォルダ表示域６５ａ−４とがある。チェック域６５ａ−２は、図２５に示すプレビュー画面Ｇ５３のチェック域５３ａ−２と同様である。保管フォルダ表示域６１ａ−４は、差異画像管理テーブル４２ｂで管理される差異画像３２の属性としての差異画像保管フォルダの値を表示する。
【０１７３】
差異画像範囲選択域６５ｆには、「個別指定」、「全てのメモを合成」、「保管フォルダ指定」等の選択項目を有する。「個別指定」及び「全てのメモを合成」は、図２５に示すプレビュー画面Ｇ５３の差異画像範囲選択域５３ｆと同様である。「保管フォルダ指定」が選択された場合は、保管フォルダを選択する保管フォルダ選択域６５ｆ−７が有効となり、ユーザーによって保管フォルダが保管フォルダ選択域６５ｆ−７から選択される。
【０１７４】
例えば、ユーザーが「保管フォルダ指定」を選択して、保管フォルダ選択域６５ｆ−７から「社内」フォルダ配下の「事前チェック」フォルダを選択すると、メモ表示域６５ａに表示される５ページメモ（１）、５ページメモ（２）、５ページメモ（３）の差異画像３２のうち、保管フォルダ表示域６１ａ−４で示される保管フォルダ名が「事前チェック」である５ページメモ（３）の差異画像３２のみが５ページ目の原稿画像３１で合成されてプレビュー表示域５３ｈに表示される。他のページにおいても同様の方法で合成される。
【０１７５】
プレビュー画面Ｇ６５にてユーザーが合成対象の保管フォルダを選択することで、その保管フォルダに保管されている手書きメモ等の差異画像３２をプレビュー表示域５３ｈで表示することができる。
【０１７６】
図３３は、保管フォルダに格納されている差異画像を合成したページを表示し印刷する場合のシーケンスを説明するための図である。図３３中、図１５に示す同様のステップには同一符号を付しその詳細な説明を省略する。また、各処理部１０３、１０５、１０６、及び１１０が画像処理装置１００ａの内部又は外部に備えられることを特定しない。各処理部１０３、１０５、１０６、及び１１０がネットワーク２を介してアクセスされる場合においても同様のシーケンスであるため、図２９ではネットワーク２を介した通信シーケンスは省略される。
【０１７７】
図３３において、ログイン終了後（ステップＳ２０１及びＳ２０２）、ユーザーが表示部１０７ｂに表示された図１３に示す文書一覧画面Ｇ５０と同様の画面から所望の文書を選択してプレビューボタン５０ｖを押下すると、図３２に示すプレビュー画面Ｇ６５が表示される。ユーザーがプレビュー画面Ｇ６５から「保管フォルダ指定」を選択し、有効となった保管フォルダ選択域６５ｆ−７から業務を選択する（ステップＳ２０３−２）。
【０１７８】
制御部１０１は、文書ＩＤと保管フォルダを指定する情報とを含む差異画像取得要求を差異画像管理部１０６へ送信する（ステップＳ２０４−２）。差異画像管理部１０６は、記憶領域ｐに格納されている差異画像管理テーブル４２ｂを参照して、文書ＩＤと保管フォルダを指定する情報とを用いて差異画像３２を読み出して制御部１０１に通知する。この場合、差異画像３２が格納されているアドレスがページ番号に対応させて制御部１０１に通知されればよい。
【０１７９】
次に、制御部１０１は、原稿管理部１０５に文書ＩＤに対応する原稿画像３１を取得させ（ステップＳ２０５）、文書印刷部１０８に、差異画像３２が合成されるべきページ番号に基づいて、原稿画像３１と差異画像３２とを合成させる（ステップＳ２０６及びＳ２０７）。
【０１８０】
そして、制御部１０１は、ＵＩ１０７に対して、ユーザーが選択した保管フォルダに対応する画像合成を図２８に示すプレビュー画面Ｇ６１のプレビュー表示域５３ｈに表示させる（ステップＳ２０８）。ユーザーによる印刷ボタン５１ｗの押下に応じて、制御部１０１は、文書印刷部１０８にプレビュー表示域５３ｈに表示させた合成画像で印刷させる（ステップＳ２０９及びＳ２１０）。
【０１８１】
その後、ユーザーによるログアウト操作に応じて、制御部１０１は、ログアウト要求をユーザー情報管理部１１０に送信する（ステップＳ２１１及びＳ２１２）。
【０１８２】
上述したように、本発明によれば、１つの原稿３０に対応付けて、原稿３０の複数の部分に相当する複数の差異画像３２を各差異画像３２が合成対象となるページ毎に管理する。複数の差異画像３２は、原稿３０と原稿画像３０ａとの差分によって抽出される。
【０１８３】
複数の差異画像３２は原稿３０と原稿画像３０ａとの差分によって抽出された部分画像であるが、原稿画像３０ａと差異画像３２とを合成する際には、対象項目に関連する差異画像３２のみが合成対象として選択的に合成されるようにすることができる。
【０１８４】
本来原稿にはなかった補足部分を、対象項目（例えば、手書きしたユーザーのユーザーＩＤ、差異画像３２の作成日時、手書きした部分が関連する業務の業務ＩＤ、手書き部分に相当する差異画像が保管されている保管フォルダなど）に対応させて管理する。従って、選択された対象項目に対応する補足部分の差異画像３２が原稿画像３１と合成され表示及び印刷される。
【０１８５】
ユーザーＩＤを対象項目として管理した場合において、例えば、１つの原稿３０の複製が複数のユーザーで使用され、手書きメモが各ユーザーの複製原稿になされた場合、手書きメモに相当する差異画像の差異画像ＩＤとその手書きメモがなされた原稿３０とその手書きメモのユーザーとを対応付けて管理することによって、１又は複数のユーザーの手書きメモを１文書に合成して参照及び印刷することができる。
【０１８６】
また、補足部分として手書きメモのあるページのみを対象として、そのページの差異画像３２とそのページの原稿画像３１のみを合成して表示及び印刷することができる。更に、差異画像３２と差異画像３２の範囲に相当する原稿画像３１の部分画像とを合成して表示及び印刷することができる。
【０１８７】
差異画像３２の作成日時を対象項目として管理した場合において、日時指定の範囲でページ毎に差異画像３２と原稿画像３１とを合成することができる。
【０１８８】
業務ＩＤを対象項目として管理した場合において、同じ原稿３０に対して、業務毎に異なる補足部分がなされた場合であっても、ページ毎に指定された業務に関連する差異画像３２と原稿画像３１とを合成することができる。
【０１８９】
階層構造の保管フォルダを対象項目として管理した場合において、差異画像３２を階層構造で管理することができる。
【０１９０】
本発明は、具体的に開示された実施例に限定されるものではなく、特許請求の範囲から逸脱することなく、種々の変形や変更が可能である。
【図面の簡単な説明】
【０１９１】
【図１】本発明の一実施例に係る第一のシステム構成を示す図である。
【図２】本発明の一実施例に係る第二のシステム構成を示す図である。
【図３】本発明の一実施例に係る第三のシステム構成を示す図である。
【図４】本発明の一実施例に係る第四のシステム構成を示す図である。
【図５】本発明の一実施例に係る第五のシステム構成を示す図である。
【図６】差異画像処理における画像の保管方法を説明するための図である。
【図７】図１に示すシステム１００１において画像処理装置が差異画像を保管する場合の差異画像を抽出するためのシーケンスを説明するための図である。
【図８】サーバーが原稿画像を管理する場合の差異画像を抽出するためのシーケンスを説明するための図である。
【図９】サーバーで差異画像抽出処理を行う場合のシーケンスを説明するための図である。
【図１０】差異画像管理テーブルの第一のデータ構成例を示す図である。
【図１１】差異画像管理テーブルの第二のデータ構成例を示す図である。
【図１２】差異画像管理テーブルの第三のデータ構成例を示す図である。
【図１３】文書一覧画面の例を示す図である。
【図１４】プレビュー画面の例を示す図である。
【図１５】差異画像を合成したページも含めて全ページを表示し印刷する場合のシーケンスを説明するための図である。
【図１６】ユーザーが手書きでメモしたページのみを差異画像で合成して表示し印刷する場合のシーケンスを説明するための図である。
【図１７】原稿画像に差異画像を合成する画像合成の状態を説明するための図である。
【図１８】ユーザーの手書きメモの差異画像と原稿画像の差異画像を含む領域とを合成して表示し印刷する場合のシーケンスを説明するための図である。
【図１９】差異画像と原稿画像の差異画像を含む領域とを合成する画像合成の状態を説明するための図である。
【図２０】差異画像のある領域を説明するための図である。
【図２１】合成レイアウト画像の例を示す図である。
【図２２】ユーザーが合成画像のサイズを変更する操作を説明するための図である。
【図２３】複数のユーザーによる手書きメモを１文書に合成する処理について説明する図である。
【図２４】複数のユーザーによる手書きメモのみがレイアウトされた合成レイアウト画像の例を示す図である。
【図２５】合成対象の範囲を差異画像作成日時で指定可能なプレビュー画面の例を示す図である。
【図２６】業務を指定して差異画像を抽出するための文書一覧画面の例を示す図である。
【図２７】補足後原稿を読み取って抽出した差異画像を業務に対応させるためのシーケンスを説明するための図である。
【図２８】合成対象の範囲を業務で指定可能なプレビュー画面の例を示す図である。
【図２９】業務に対応する差異画像を合成したページを表示し印刷する場合のシーケンスを説明するための図である。
【図３０】業務を指定して差異画像を抽出するための文書一覧画面の例を示す図である。
【図３１】補足後原稿を読み取って抽出した差異画像をフォルダに保管するためのシーケンスを説明するための図である。
【図３２】合成対象の範囲を保管フォルダで指定可能なプレビュー画面の例を示す図である。
【図３３】保管フォルダに格納されている差異画像を合成したページを表示し印刷する場合のシーケンスを説明するための図である。
【符号の説明】
【０１９２】
２            ネットワーク
１０          ＰＣ
１１          制御部
１２          記憶装置
１３          入力装置
１４          ＵＩ
１９          ネットワークＩ／Ｆ
３０          原稿
３１          原稿画像
３２          手書き画像
３３          合成画像
３４          合成レイアウト画像
４２          手書き画像管理テーブル
４３          ページ番号
４４          印刷する用紙サイズ
１００        画像処理装置
１０１        制御部
１０２        文書読取部
１０３        差異画像抽出部
１０４        画像レイアウト部
１０５        原稿管理部
１０６        差異画像管理部
１０７        ＵＩ
１０７ａ      操作部
１０７ｂ      表示部
１０８        文書印刷部
１０９        画像合成部
１１０        ユーザー情報管理部
１１１        一時記憶領域
１１２        ＨＤＤ
１１９        ネットワークＩ／Ｆ
２００        サーバー
２０１        制御部
２１９        ネットワークＩ／Ｆ
【図１】
2008104161.tif 000003
【図２】
2008104161.tif 000004
【図３】
2008104161.tif 000005
【図４】
2008104161.tif 000006
【図５】
2008104161.tif 000007
【図６】
2008104161.tif 000008
【図７】
2008104161.tif 000009
【図８】
2008104161.tif 000010
【図９】
2008104161.tif 000011
【図１０】
2008104161.tif 000012
【図１１】
2008104161.tif 000013
【図１２】
2008104161.tif 000014
【図１３】
2008104161.tif 000015
【図１４】
2008104161.tif 000016
【図１５】
2008104161.tif 000017
【図１６】
2008104161.tif 000018
【図１７】
2008104161.tif 000019
【図１８】
2008104161.tif 000020
【図１９】
2008104161.tif 000021
【図２０】
2008104161.tif 000022
【図２１】
2008104161.tif 000023
【図２２】
2008104161.tif 000024
【図２３】
2008104161.tif 000025
【図２４】
2008104161.tif 000026
【図２５】
2008104161.tif 000027
【図２６】
2008104161.tif 000028
【図２７】
2008104161.tif 000029
【図２８】
2008104161.tif 000030
【図２９】
2008104161.tif 000031
【図３０】
2008104161.tif 000032
【図３１】
2008104161.tif 000033
【図３２】
2008104161.tif 000034
【図３３】
2008104161.tif 000035